(57)【要約】【課題】  緩衝フィルムの接着力を十分に確保でき、かつ、製造時に二次的作業工程を追加することなく製造できる緩衝包装材を提供する。【解決手段】  窓孔を有する多角形状の枠体と該枠体の各外辺縁を延長してなる支持片とを備えたブランクにおける該枠体の窓孔に対して緩衝フィルムを該枠体からはみ出す位置まで覆うように張り渡した後に該枠体に対して該各支持片を起こすように折り曲げて額枠状に形成する緩衝包装材において、前記ブランクの隣接する支持片によって形成されるコーナーに該コーナーを埋めるように一方の支持片の側辺縁を延長してなる補強片を他方の支持片の側辺縁に沿って設け、少なくとも当該補強片又は当該他方の支持片を含むように当該ブランクの枠体における角先端位置を出発点として所定角度で広がる切除部を形成し、前記緩衝フィルムの枠体からはみ出した部分を当該切除部に跨がった状態で当該補強片と当該他方の支持片とに接着する。【選択図】  図１
2005313926.tif 000002
【特許請求の範囲】
【請求項１】
窓孔を有する多角形状の枠体と該枠体の各外辺縁を延長してなる支持片とを備えたブランクにおける該枠体の窓孔に対して緩衝フィルムを該枠体からはみ出す位置まで覆うように張り渡した後に該枠体に対して該各支持片を起こすように折り曲げて額枠状に形成する緩衝包装材において、前記ブランクの隣接する支持片によって形成されるコーナーには該コーナーを埋めるように一方の支持片の側辺縁を延長してなる補強片が他方の支持片の側辺縁に沿って設けられており、少なくとも当該補強片又は当該他方の支持片を含むように当該ブランクの枠体における角先端位置を出発点として所定角度で広がる切除部が形成されており、前記緩衝フィルムの枠体からはみ出した部分が当該切除部に跨がった状態で当該補強片と当該他方の支持片とに接着されていることを特徴とする緩衝包装材。
【請求項２】
切除部が補強片内にあり、かつ、他方の支持片に向かって開口するように形成されている請求項１記載の緩衝包装材。
【請求項３】
切除部が他方の支持片内にあり、かつ、補強片に向かって開口するように形成されている請求項１記載の緩衝包装材。
【請求項４】
切除部が補強片と他方の支持片とに跨がっており、当該補強片側の切除部分が該補強片内にあり、かつ、他方の支持片に向かって開口するように形成されており、当該他方の支持片側の切除部分が該他方の支持片内にあり、かつ、補強片に向かって開口するように形成されている請求項１記載の緩衝包装材。
【請求項５】
所定角度が少なくとも一方の支持片の側辺縁と他方の支持片の側辺縁とによって挟まれる角が持つ半分の角度を有している請求項１乃至４のいずれかに記載の緩衝包装材。
【請求項６】
緩衝フィルムの枠体からはみ出した部分が切除部を完全に覆わないように跨がった状態で補強片と他方の支持片とに接着されている請求項１乃至５のいずれかに記載の緩衝包装材。
【請求項７】
請求項１乃至６のいずれかに記載の緩衝包装材を一対とし、該一対の緩衝包装材の緩衝フィルムを対面させて該対面する緩衝フィルムの間に被包装物品を挟持し、被包装物品を挟持した状態で対向する一対の緩衝包装材の間隔を保持した状態で該一対の緩衝包装材を外枠部材に収納することを特徴とする包装材。
【発明の詳細な説明】
【技術分野】
【０００１】
本発明は、緩衝包装材及び当該緩衝包装材を用いた包装材に関するものである。
【背景技術】
【０００２】
周知の通り、割れ物、電子機器又は精密機器などの被包装物品を運搬時に生じる衝撃から保護する包装材として、可撓性及び伸縮性を備えた緩衝フィルムを張り渡した一対の緩衝包装材によって被包装物品を挟持した状態で保持する包装材が多数開発されている。
【０００３】
例えば、後出特許文献１には、二つの緩衝用内箱を接近するように対向させると共に外周方向で隙間無く外箱内に収納し、対向する一対の合成樹脂シート（緩衝フィルム）の間で物品を挟圧、保持してなる物品の包装構造において、緩衝用内箱がその展開時に正方形または長方形の１枚の段ボール又は板紙からなっており、該内箱における基台面部の外周の各辺に沿って形成される外方側片部は、対向する一対の外方側片部の基端となる第１折曲線の両端より延長方向にそれぞれ延びて隣接する外方側片部と切込線を介して分離された補助側片部を連設しており、該補助側片部は、当該内箱の組立時に、該補助側片部が連接する外方側片部と直交して折曲げられ、隣接する外方側片部と補助側片部とを重ね合わせた状態で補助側片部が補助拘束手段で外方側片部に拘束されて折曲げ時の姿勢を維持してなり、基台面部上で窓孔の周囲を囲む頂面部に合成樹脂シートが貼着されて窓孔を覆ってなる包装構造が開示されている。
【０００４】
しかし、前記特許文献１記載の包装構造に用いられる緩衝用内箱おいては、より大きな被包装物品を保持できるように、基台面部における頂面部の幅を可能な限り狭くして該窓孔を広く確保するため、基台面部の頂面部に貼着される合成樹脂シートの接着力が低下し、被包装物品を挟持した際に生じる張力によって合成樹脂シートが頂面部から剥がれてしまうという問題点があった。
【０００５】
なお、前記問題点を解決するため、合成樹脂シートを基台面部からはみ出す位置まで覆うように張り渡すことによって合成樹脂シートの接着力を確保する方法もあるが、この方法においては、合成樹脂シートの基台面部からはみ出した部分が切込線を跨いだ状態で外方側片部と補助側片部とに張り渡された状態となり、組み立て時に補助側片部を外方側片部と直交するように折り曲げることができないため、合成樹脂シートを切込線に沿って切断しなければならず、製造時に二次的作業工程を追加する必要があり、製造効率が低下するという問題点があり、さらに、合成樹脂シートが切断された部分から裂け易くなるという問題点もあった。
【特許文献１】特開２０００−２６４３６８号公報（第２頁、図１）
【発明の開示】
【発明が解決しようとする課題】
【０００６】
そこで、本発明は、緩衝フィルムの接着力を十分に確保でき、かつ、製造時に二次的作業工程を追加することなく製造できる緩衝包装材を得ることを技術的課題として、その具現化をはかるべく研究・実験を重ねた結果、窓孔を有する多角形状の枠体と該枠体の各外辺縁を延長してなる支持片とを備えたブランクにおける該枠体の窓孔に対して緩衝フィルムを該枠体からはみ出す位置まで覆うように張り渡した後に該枠体に対して該各支持片を起こすように折り曲げて額枠状に形成する緩衝包装材において、前記ブランクの隣接する支持片によって形成されるコーナーに該コーナーを埋めるように一方の支持片の側辺縁を延長してなる補強片を他方の支持片の側辺縁に沿って設け、少なくとも当該補強片又は当該他方の支持片を含むように当該ブランクの枠体における角先端位置を出発点として所定角度で広がる切除部を形成し、前記緩衝フィルムの枠体からはみ出した部分を当該切除部に跨がった状態で当該補強片と当該他方の支持片とに接着する場合には、緩衝フィルムの接着力を十分に確保でき、かつ、製造時に二次的作業工程を追加することなく製造できるという刮目すべき知見を得、前記技術的課題を達成したものである。
【課題を解決するための手段】
【０００７】
前記技術的課題は、次の通りの本発明によって解決できる。
【０００８】
即ち、本発明に係る緩衝包装材は、窓孔を有する多角形状の枠体と該枠体の各外辺縁を延長してなる支持片とを備えたブランクにおける該枠体の窓孔に対して緩衝フィルムを該枠体からはみ出す位置まで覆うように張り渡した後に該枠体に対して該各支持片を起こすように折り曲げて額枠状に形成する緩衝包装材において、前記ブランクの隣接する支持片によって形成されるコーナーには該コーナーを埋めるように一方の支持片の側辺縁を延長してなる補強片が他方の支持片の側辺縁に沿って設けられており、少なくとも当該補強片又は当該他方の支持片を含むように当該ブランクの枠体における角先端位置を出発点として所定角度で広がる切除部が形成されており、前記緩衝フィルムの枠体からはみ出した部分が当該切除部に跨がった状態で当該補強片と当該他方の支持片とに接着されているものである。
【０００９】
また、本発明は、前記緩衝包装材において、切除部が補強片内にあり、かつ、他方の支持片に向かって開口するように形成されているものである。
【００１０】
また、本発明は、前記緩衝包装材において、切除部が他方の支持片内にあり、かつ、補強片に向かって開口するように形成されているものである。
【００１１】
また、本発明は、前記緩衝包装材において、切除部が補強片と他方の支持片とに跨がっており、当該補強片側の切除部分が該補強片内にあり、かつ、他方の支持片に向かって開口するように形成されており、当該他方の支持片側の切除部分が該他方の支持片内にあり、かつ、補強片に向かって開口するように形成されているものである。
【００１２】
また、本発明は、前記いずれかの緩衝包装材において、所定角度が少なくとも一方の支持片の側辺縁と他方の支持片の側辺縁とによって挟まれる角が持つ半分の角度を有しているものである。
【００１３】
また、本発明は、前記いずれかの緩衝包装材において、緩衝フィルムの枠体からはみ出した部分が切除部を完全に覆わないように跨がった状態で補強片と他方の支持片とに接着されているものである。
【００１４】
さらに、本発明に係る包装材は、前記いずれかに緩衝包装材を一対とし、該一対の緩衝包装材の緩衝フィルムを対面させて該対面する緩衝フィルムの間に被包装物品を挟持し、被包装物品を挟持した状態で対向する一対の緩衝包装材の間隔を保持した状態で該一対の緩衝包装材を外枠部材に収納するものである。
【００１５】
また、本発明の実施に当たっては、前記緩衝包装材において、枠体に対して支持片を起こすように折り曲げて柱状にすることもできる。
【発明の効果】
【００１６】
本発明によれば、少なくとも補強片又は他方の支持片を含むようにブランクの枠体における角先端位置を出発点として所定角度で広がる切除部を形成したので、ブランクに対して緩衝フィルムを枠体からはみ出す位置まで覆うように張り渡した場合においても、補強片と他方の支持片とが切除部に跨がった緩衝フィルムによって一定間隔を設けて連結された状態となり、補強片と他方の支持片と間の相互動作に自由度が生じるから組み立てが可能となり、また、緩衝フィルムの接着力を十分に確保することができる。さらに、ブランクを形成する際に切除部を同時に形成することができるため、切除部を形成する二次的作業工程を別途追加する必要がなく、製造効率を向上させることができる。また、緩衝フィルムを切断する必要がないため、緩衝フィルムが裂け易くなることもない。しかも、ブランクに張り渡された緩衝フィルムの先端部が補強片と他方の支持片との間に挟まれた状態となるため、緩衝フィルムがブランクから剥がれることを防止できる。
【００１７】
従って、本発明の産業上利用性は非常に高いといえる。
【発明を実施するための最良の形態】
【００１８】
以下、本発明の実施の形態を図面に基づき説明する。
【００１９】
実施の形態１．
【００２０】
図１は本実施の形態に係る緩衝包装材を示す斜視図であり、図２は図１に示した緩衝包装材の展開時の状態を示す展開図であり、図３は図１に示した緩衝包装材の角部分を示す部分拡大平面図であり、図４は図１に示した緩衝包装材を用いた包装材を示す断面図であり、図５は本実施の形態における切除部の他の形状を示す部分展開図である。これらの図において、１は、段ボール紙やボール紙などの厚紙を打ち抜いてなるブランク２に緩衝フィルム３を張り渡した後に所定部分を折り曲げて額枠状に形成してなる緩衝包装材である。
【００２１】
ブランク２は、図２に示すように、窓孔４を有する矩形状の枠体５と、枠体５の一方の対向する外辺縁を延長してなる第一支持片６，６と、枠体５の他方の対向する外辺縁を延長してなる第二支持片７，７と、隣接する第一支持片６と第二支持片７とによって形成されるコーナーを埋めるように第一支持片６（一方の支持片）の側辺縁を第二支持片７（他方の支持片）の側辺縁に沿って延長してなる補強片８とからなる。
【００２２】
補強片８には、切除部９が形成されており、切除部９は、枠体５の角先端位置１０を出発点として補強片８内に４５度で広がっており、補強片８の先端部を残した状態で第二支持片７に向かって開口した三角形状になっている。
【００２３】
緩衝フィルム３は、枠体５よりもひと回り大きな矩形状に形成されており、ブランク２に張り渡された際に枠体５からはみ出す位置まで覆うことができるようになっている。そして、ブランク２の窓孔４を覆おうように張り渡された緩衝フィルム２の枠体５からはみ出した縁部１１は、第一支持片６に接着されていると共に、切除部９を跨いだ状態で補強片８と第二支持片７とに接着されている。なお、緩衝フィルム２の縁部１１は、切除部９を完全に覆うことなく一部を残した状態で張り渡されている。
【００２４】
図２に示す展開した緩衝包装材を組み立てる場合には、ブランク２の緩衝フィルム３が張り渡されていない面を表面とし、先ず、第一支持片６を枠体５と直角になるように表面側へ折り曲げる。次に、補強片８を第一支持片６と直角になるように内側へ折り曲げると共に、第二支持片７を枠体５と直角になるように表面側へ折り曲げ、補強片８の裏面側と第二支持片７の表面側とを対面させる。このとき、図３に示すように、緩衝フィルム３の切除部９を覆う部分３ａが緩衝フィルム３の補強片８に接着された部分３ｂと重なるように折り畳まれた状態となって補強片８と第二支持片７との間に収納される。
【００２５】
次に、図４に示すように、本実施の形態に係る緩衝包装材１を用いた包装材１２によって被包装物品１３を包装する場合には、一対の緩衝包装材１，１の緩衝フィルム３が張り渡された面を対面させた状態で該対面する緩衝フィルム３の間に被包装物品１３を挟持し、被包装物品１３を挟持した一対の緩衝包装材１，１の間隔を保持した状態で該一対の緩衝包装材１，１を外枠部材１４に収納する。
【００２６】
なお、外枠部材１４は、被包装物品１３を挟持した一対の緩衝包装材１，１の間隔を保持した状態で該一対の緩衝包装材１，１を収納できる大きさのものであれば、箱状のものであってもよく、筒状のものであってもよい。
【００２７】
本実施の形態によれば、補強片の先端部を残した状態で該補強片内に切除部が形成されているため、組み立てた際に、補強片の一部（先端部）が第二支持片と同じ幅となって該第二支持片と共に枠体を支えることができ、緩衝包装材の強度が向上する。
【００２８】
なお、本実施の形態における切除部は、枠体の角先端位置を出発点として補強片に所定角度、即ち、少なくとも第一支持片の側辺縁と第二支持片の側辺縁とによって挟まれる角の持つ半分の角度を有する角度で広がっており、かつ、第二支持片に向かって開口していればよく、例えば、図５に示すように、枠体５の角先端位置１０を出発点として補強片８内に４５度で広がっており、補強片８の先端縁を残した状態で第二支持片７に向かってくの字状に開口した三角形状の切除部９であってもよい。また、切除部は、前記要件を満たせば、三角形以外の形状に形成してもよい。
【００２９】
実施の形態２．
【００３０】
本実施の形態は前記実施の形態１に係る緩衝包装材の変形例であり、図６は本実施の形態に係る緩衝包装材を示す斜視図であり、図７は図６に示した緩衝包装材の展開時の状態を示す展開図であり、図８は図６に示した緩衝包装材の角部分を示す部分拡大平面図であり、図９は本実施の形態における切除部の他の形状を示す部分展開図である。これらの図において、図１〜図５と同一符号は同一又は相当部分を示している。
【００３１】
本実施の形態に係る緩衝包装材は、図７に示すように、ブランク２の第二支持片７（他方の支持片）に切除部９が形成されている外は、前記実施の形態１に係る緩衝包装材と同様に形成されている。そして、切除部９は、枠体５の角先端位置１０を出発点として第二支持片７内に４５度で広がっており、第二支持片７の先端部を残した状態で補強片８に向かって開口した三角形状になっている。
【００３２】
図７に示す展開した緩衝包装材を組み立てる場合には、ブランク２の緩衝フィルム３が張り渡されていない面を表面とし、先ず、第一支持片６を枠体５と直角になるように表面側へ折り曲げる。次に、補強片８を第一支持片６と直角になるように内側へ折り曲げると共に、第二支持片７を枠体５と直角になるように表面側へ折り曲げ、補強片８の裏面側と第二支持片７の表面側とを対面させる。この時、図８に示すように、緩衝フィルム３の切除部９を跨ぐ部分３ａが第二支持片７の表面側に回り込み、緩衝フィルム３の補強片８に接着された部分３ｂと重なるように折り畳まれて第二支持片７と補強片８との間に収納される。
【００３３】
本実施の形態によれば、第二支持片の先端部を残した状態で該第二支持片内に切除部を形成しているため、組み立てた際に、補強片と共に第二支持片の全先端縁によって枠体を支えることができ、緩衝包装材の強度が向上する。
【００３４】
なお、本実施の形態における切除部は、枠体の角先端位置を出発点として第二支持片に所定角度、即ち、少なくとも第一支持片（一方の支持片）の側辺縁と第二支持片（他方の支持片）の側辺縁とによって挟まれる角の持つ半分の角度を有する角度で広がっており、補強片に向かって開口していればよく、例えば、図９に示すように、枠体５の角先端位置１０を出発点として第二支持片７内に４５度で広がっており、第二支持片７の先端縁を残した状態で補強片８に向かってくの字状に開口した三角形状の切除部９であってもよい。また、切除部は、前記要件を満たせば、三角形以外の形状にしてもよい。
【００３５】
実施の形態３．
【００３６】
本実施の形態は前記実施の形態１に係る緩衝包装材の変形例であり、図１０は本実施の形態に係る緩衝包装材の展開時の状態を示す展開図であり、図１１は本実施の形態における切除部の他の形状を示す部分展開図である。これらの図において、図１〜図５と同一符号は同一又は相当部分を示している。
【００３７】
本実施の形態に係る緩衝包装材は、図１０に示すように、ブランク２の補強片８と第二支持片７（他方の支持片）とに跨がるように切除部９が形成されている外は、前記実施の形態１に係る緩衝包装材と同様に形成されている。そして、切除部９は、枠体５の角先端位置１０を出発点として補強片８と第二支持片７とに跨がるように４５度で広がっており、補強片８側の切除部分９ａは、補強片８内に位置付けられた状態で第二支持片７に向かって開口した三角形状になっており、第二支持片７側の切除部分９ｂは、第二支持片７内に位置付けられた状態で補強片８に向かって開口した三角形状になっている。
【００３８】
本実施の形態によれば、補強片側の切除部分が該補強片内に形成されており、また、第二支持片側の切除部分が該第二支持片内に形成されているため、組み立てた際に、補強片の一部が第二支持片と同じ幅となって枠体を支えることができ、また、第二支持片が全先端縁によって枠体を支えることができるため、緩衝包装材の強度が向上する。
【００３９】
なお、本実施の形態における切除部は、枠体の角先端位置を出発点として補強片と第二支持片とを跨ぐように所定角度、即ち、少なくとも第一支持片（一方の支持片）の側辺縁と第二支持片（他方の支持片）の側辺縁とによって挟まれる角の持つ半分の角度を有する角度で広がっており、補強片側の切除部分と第二支持片側の切除部分とが互いに向かい合うように開口していればよく、例えば、図１１に示すように、枠体５の角先端位置１０を出発点として補強片８と第二支持片７とを跨ぐように４５度で広がっており、補強片８側の切除部分９ａと第二支持片７側の切除部分９ｂとが互いに向かい合った状態でくの字状に開口した切除部９であってもよい。また、両切除部分は、切除部が前記要件を満たせば、三角形以外の形状にしてもよい。
【００４０】
実施の形態４．
【００４１】
図１２は本実施の形態に係る緩衝包装材の展開時の状態を示す展開図であり、図１３は図１２に示した展開した緩衝包装材の組み立て途中の状態を示す斜視図であり、図１４は図１２に示した展開した緩衝包装材の組み上がった状態を示す斜視図である。これらの図において、図１〜図５と同一符号は同一又は相当部分を示している。
【００４２】
本実施の形態に係るブランク２は、図１２に示すように、窓孔４を有する矩形状の枠体５と、枠体５の一方の対向する外辺縁を延長してなる第一外側支持片１５，１５と、枠体５の一方の対向する内辺縁を延長してなる第一内側支持片１６，１６と、枠体５の他方の対向する外辺縁を延長してなる第二外側支持片１７，１７と、枠体５の他方の対向する内辺縁を延長してなる第二内側支持片１８，１８と、隣接する第一外側支持片１５と第二外側支持片１７とによって形成されるコーナーを埋めるように第一外側支持片１５（一方の支持片）の側辺縁を第二外側支持片１７（他方の支持片）の側辺縁に沿って延長してなる補強片８とからなる。
【００４３】
第二外側支持片１７は、枠体５の外辺縁に連接される外壁部１９と、外壁部１９に折曲線２０を介して連接される枠壁部２１と、枠壁部２１に折曲線２２を介して連接される内壁部２３と、内壁部２３の両側辺縁を延長してなる補助部２４とから構成されており、折曲線２２上には、差込孔２５が形成されている。
【００４４】
第二内側支持片１８は、枠体５の内辺縁に連接される内壁被覆部２６と、内壁被覆部２６から突出する差込部２７とから構成されている。
【００４５】
補強片８には、切除部９が形成されており、切除部９は、枠体５の角先端位置１０を出発点として補強片８内に４５度で広がっており、補強片８の先端部を残した状態で第二外側支持片１７に向かって開口した三角形状になっている。
【００４６】
図１２に示す展開した緩衝包装材を組み立てる場合には、ブランク２の緩衝フィルム３が張り渡されていない面を表面とし、図１３に示すように、先ず、第一外側支持片１５を枠体５と直角になるように表面側へ折り曲げる。次に、補強片８を第一外側支持片１５と直角になるように内側へ折り曲げると共に、第二外側支持片１７全体を枠体５と直角になるように表面側へ折り曲げ、そして、第二外側支持片１７の補助部２４を内壁部２３と直角になるように裏面側へ折り曲げた後、第二外側支持片１７を折曲線２０，２２に沿って巻き込むように折り込んで四角柱状に形成し、補強片８の裏面側と第二外側支持片１７における外壁部１９の表面側とを対面させる。このとき、緩衝フィルム３の切除部９に張り渡された部分が、緩衝フィルム３の補強片８に接着された部分と重なるように折り畳まれた状態となって補強片８と第二外側支持片１７との間に収納される。最後に、第二内側支持片１８を枠体５と直角になるように表面側へ折り曲げた後、第二内側支持片１８の差込部２７を第二外側支持片１７の差込孔２５に差し込む（図１４参照）。
【００４７】
本実施の形態によれば、枠体を支える支持片が四角柱状に成形されるため、緩衝包装材の強度がより向上する。
【００４８】
実施の形態５．
【００４９】
図１５は本実施の形態に係る緩衝包装材の展開時の状態を示す展開図であり、図１６は図１５に示した展開した緩衝包装材の組み立て途中の状態を示す斜視図であり、図１７は図１５に示した展開した緩衝包装材の組み上がった状態を示す斜視図である。これらの図において、図１〜図５と同一符号は同一又は相当部分を示している。
【００５０】
本実施の形態に係るブランク２は、図１５に示すように、窓孔４を有する矩形状の枠体５と、枠体５の一方の対向する外辺縁を延長してなる第一外側支持片２８，２８と、枠体５の一方の対向する内辺縁を延長してなる第一内側支持片２９，２９と、枠体５の他方の対向する外辺縁を延長してなる第二外側支持片３０，３０と、枠体５の他方の対向する内辺縁を延長してなる第二内側支持片３１，３１と、隣接する第一外側支持片２８と第二外側支持片３０とによって形成されるコーナーの一部を埋めるように第一外側支持片２８（一方の支持片）の側辺縁を第二外側支持片３０（他方の支持片）の側辺縁に沿わせて延長してなる補強片８とからなる。
【００５１】
第一外側支持片２８は、枠体５の外辺縁に連接される外壁部３２と、外壁部３２に折曲線３３を介して連接される枠壁部３４と、枠壁部３４に折曲線３５を介して連接される内壁部３６と、内壁部３６の両側辺縁を延長してなる補助部３７とから構成されており、折曲線３３上には、三つの差込孔３８ａ，３８ｂ，３８ｃが形成されている。
【００５２】
第一内側支持片２９は、枠体５の内辺縁に連接される内壁被覆部３９と、内壁被覆部３９に折曲線４０を介して連接される枠壁被覆部４１と、枠面被覆部４１から突出する差込部４２とから構成されている。
【００５３】
第二外側支持片３０は、枠体５の外辺縁に連接される外壁部４３と、外壁部４３に折曲線４４を介して連接される枠壁部４５と、枠壁部４５の両側辺縁から突出する挿入部４６とから構成されている。そして、第二外側支持片３０には、切除部９が形成されており、切除部９は、枠体５の角先端位置１０を出発点として第二外側支持片３０内に４５度で広がっており、第二外側支持片３０の枠壁部４５を残した状態で補強片８に向かって開口した三角形状になっている。
【００５４】
緩衝フィルム３は、枠体５よりもひと回り大きな矩形状に形成されている。そして、図１５に示すように、ブランク２の窓孔４を覆おうように張り渡された緩衝フィルム３の枠体５からはみ出した縁部１１は、第一外側支持部２８の外壁部３２に接着されていると共に、切除部９に跨がった状態で補強片８と第二外側支持片３０の外壁部４３とに接着されている。このとき、緩衝フィルム２の枠体５からはみ出した縁部１１は、補強片８の先端側に位置する切除部９の一部を残した状態で張り渡されている。
【００５５】
図１５に示す展開した緩衝包装材を組み立てる場合には、ブランク２の緩衝フィルム３が張り渡されていない面を表面とし、図１６に示すように、先ず、第一外側支持片２８全体を枠体５と直角になるように表面側へ折り曲げた後、第一外側支持片２８を折曲線３３，３５に沿って巻き込むように折り曲げて四角柱状に成形し、さらに、第一外側支持片２８の補助部３７を内壁部３６と直角になるように内側へ折り曲げる。次に、補強片８を第一外側支持片２８の外壁部３２と直角になるように内側へ折り曲げると共に、第二外側支持片３０全体を枠体５と直角になるように表面側へ折り曲げ、補強片８の裏面側と第二外側支持片３０における外壁部４３の表面側とを対面させる。この時、緩衝フィルム３の切除部９に張り渡された部分が第二外側支持片３０における外壁部４３の表面側に回り込み、緩衝フィルム３の補強片８に接着された部分と重なるように折り畳まれて第二外側支持片３０の外壁部４３と補強片８との間に収納される。最後に、第一内側支持片２９全体を枠体５と直角になるように表面側へ折り曲げると共に、第一内側支持片２９を折曲線４０に沿って折り曲げ、第一内側支持片２９の差込部４２を第一外側支持片２８の中央に位置する差込孔３８ａに差し込み、また、第二外側支持片３０を折曲線４４に沿って折り曲げ、第二外側支持片３０の両挿入部４６を第一外側支持片２８の左右に位置する差込孔３８ｂ，３８ｃに差し込む（図１７参照）。
【００５６】
前記各実施の形態における緩衝フィルムは、市販の可撓性及び伸縮性を備えた合成樹脂フィルムを用いればよく、当該フィルムとして透明のものを用いる場合には被包装物品を透視することができる。また、ブランクは、厚紙以外のものによって形成してもよく、例えば、ポリエチレン、ポリプロピレン又はＰＥＴなどの合成樹脂シートによって形成することもできる。
【００５７】
また、前記各実施の形態においては、ブランクの枠体を矩形状としたが、三角形状や五角形状などの他の多角形状に形成してもよい。
【００５８】
また、前記各実施の形態においては、矩形状の枠体における一方の対向する外辺縁を延長してなる支持片にそれぞれ二つの補強片を設けたが、これに限定されることなく、例えば、矩形状の枠体における各外辺縁を延長してなる支持片にそれぞれ一つの補強片を設けてもよく、また、矩形状の枠体における一つの外辺縁を延長してなる支持片にのみ二つの補強片を設け、他の二つの外辺縁を延長してなる支持辺にそれぞれ一つの補強片を設けてもよい。
【００５９】
また、切除部は、三角形以外の形状に形成してもよい。
【図面の簡単な説明】
【００６０】
【図１】実施の形態１に係る緩衝包装材を示す斜視図である。
【図２】図１に示した緩衝包装材の展開時の状態を示す展開図である。
【図３】図１に示した緩衝包装材の角部分を示す部分拡大平面図である。
【図４】図２に示した緩衝包装材を用いた包装材を示す断面図である。
【図５】実施の形態１における切除部の他の形状を示す部分展開図である。
【図６】実施の形態２に係る緩衝包装材を示す斜視図である。
【図７】図６に示した緩衝包装材の展開時の状態を示す展開図である。
【図８】図６に示した緩衝包装材の角部分を示す部分拡大平面図である。
【図９】実施の形態２における切除部の他の形状を示す部分展開図である。
【図１０】実施の形態３に係る緩衝包装材の展開時の状態を示す展開図である。
【図１１】実施の形態３における切除部の他の形状を示す部分展開図である。
【図１２】実施の形態４に係る緩衝包装材の展開時の状態を示す展開図である。
【図１３】図１２に示した展開した緩衝包装材の組み立て途中の状態を示す斜視図である。
【図１４】図１２に示した展開した緩衝包装材の組み上がった状態を示す斜視図である。
【図１５】実施の形態５に係る緩衝包装材の展開時の状態を示す展開図である。
【図１６】図１５に示した展開した緩衝包装材の組み立て途中の状態を示す斜視図である。
【図１７】図１５に示した展開した緩衝包装材の組み上がった状態を示す斜視図である。
【符号の説明】
【００６１】
１  緩衝包装材
２  ブランク
３  緩衝フィルム
４  窓孔
５  枠体
６  第一支持片
７  第二支持片
８  補助片
９  切除部
１０  角先端位置
１１  縁部
１２  包装材
１３  被包装物品
１４  外枠部材
１５  第一外側支持片
１６  第一内側支持片
１７  第二外側支持片
１８  第二内側支持片
１９  外壁部
２０，２２  折曲線
２１  枠壁部
２３  内壁部
２４  補助部
２５  差込孔
２６  内壁被覆部
２７  差込部
２８  第一外側支持片
２９  第一内側支持片
３０  第二外側支持片
３１  第二内側支持片
３２  外壁部
３３，３５，４０，４４  折曲線
３４  枠壁部
３６  内壁部
３７  補助部
３８  差込孔
３９  内壁被覆部
４１  枠壁被覆部
４２  差込部
４３  外壁部
４５  枠壁部
４６  挿入部
【図１】
2005313926.tif 000003
【図２】
2005313926.tif 000004
【図３】
2005313926.tif 000005
【図４】
2005313926.tif 000006
【図５】
2005313926.tif 000007
【図６】
2005313926.tif 000008
【図７】
2005313926.tif 000009
【図８】
2005313926.tif 000010
【図９】
2005313926.tif 000011
【図１０】
2005313926.tif 000012
【図１１】
2005313926.tif 000013
【図１２】
2005313926.tif 000014
【図１３】
2005313926.tif 000015
【図１４】
2005313926.tif 000016
【図１５】
2005313926.tif 000017
【図１６】
2005313926.tif 000018
【図１７】
2005313926.tif 000019